(57)【特許請求の範囲】
【請求項１】
図柄表示装置(21)を備える遊技機であって、
前記図柄表示装置(21)の表示部(22)は、
前記図柄表示装置(21)の背面側に設けた表示制御手段(K)からの制御信号に基づいて、独立して点灯または消灯の制御がなされる縦・横各３列の表示領域を有する単一の有機ＥＬプレート(27)と、
前記有機ＥＬプレート(27)の表面に各表示領域に対応して配設され、前記表示制御手段(K)からの制御信号に基づいて図柄を表示する７セグメントＬＥＤ(25)とからなり、
前記表示制御手段(K)は、前記７セグメントＬＥＤ(25)で図柄を表示した後に、前記有機ＥＬプレート(27)における図柄が表示された各表示領域を点灯または消灯させることで図柄変動毎に図柄の有効組合わせ位置を変更し得るよう設定されると共に、前記７セグメントＬＥＤ(25)で表示された図柄の組合わせがリーチとなる場合には、リーチに対応する図柄を表示した７セグメントＬＥＤ(25)の背面に位置する表示領域を他の表示領域とは異なる色で点灯させて、大当りとなる位置の表示領域を点滅させるよう設定される
ことを特徴とする遊技機。
【請求項２】
前記表示制御手段(K)は、前記有機ＥＬプレート(27)の各表示領域を点灯または消灯させることで複数ラインの有効組合わせ位置を表示するよう設定されて、単数のラインで大当りの条件を満足した場合に発生する大当りの価値と、複数のラインで大当りの条件を満足した場合に発生する大当りの価値とに差を設けると共に、点灯または消灯される表示領域の位置や点灯した場合の色、点滅速度により前記大当りとなる確率に差を設けた請求項１記載の遊技機。
【請求項３】
前記表示制御手段(K)は、前記縦・横各３列の表示領域を点灯または消灯させることで有効組合わせ位置を非直線的に表示するよう設定される請求項１または２記載の遊技機。
【請求項４】
図柄表示装置(21)を備える遊技機であって、
前記図柄表示装置(21)の表示部(22)は、
前記図柄表示装置(21)の背面側に設けた表示制御手段(K)からの制御信号に基づいて、独立して点灯または消灯の制御がなされる縦・横各３列の有機ＥＬプレート(27)と、
前記各有機ＥＬプレート(27)の表面に配設され、前記表示制御手段(K)からの制御信号に基づいて図柄を表示する７セグメントＬＥＤ(25)とからなり、
前記表示制御手段(K)は、前記７セグメントＬＥＤ(25)で図柄を表示した後に、図柄が表示された前記有機ＥＬプレート(27)を点灯または消灯させることで図柄変動毎に図柄の有効組合わせ位置を変更し得るよう設定されると共に、前記７セグメントＬＥＤ(25)で表示された図柄の組合わせがリーチとなる場合には、リーチに対応する図柄を表示した７セグメントＬＥＤ(25)の背面に位置する有機ＥＬプレート(27)を他の有機ＥＬプレート(27)とは異なる色で点灯させて、大当りとなる位置の有機ＥＬプレート(27)を点滅させるよう設定される
ことを特徴とする遊技機。
【請求項５】
前記表示制御手段(K)は、前記各有機ＥＬプレート(27)を点灯または消灯させることで複数ラインの有効組合わせ位置を表示するよう設定されて、単数のラインで大当りの条件を満足した場合に発生する大当りの価値と、複数のラインで大当りの条件を満足した場合に発生する大当りの価値とに差を設けると共に、点灯または消灯される有機ＥＬプレート(27)の位置や点灯した場合の色、点滅速度により前記大当りとなる確率に差を設けた請求項４記載の遊技機。
【請求項６】
前記表示制御手段(K)は、前記縦・横各３列の有機ＥＬプレート(27)を点灯または消灯させることで有効組合わせ位置を非直線的に表示するよう設定される請求項４または５記載の遊技機。
【発明の詳細な説明】
【０００１】
【発明の属する技術分野】
本発明は、各種図柄を表示する手段としての図柄表示装置を備えた遊技機に関するものである。
【０００２】
【従来技術】
従来から、パチンコ機やスロット機等の遊技機が多くの遊技者に親しまれている。例えば、パチンコ機では、遊技盤上の遊技領域に始動入賞具、特別入賞口等が配設されると共に、複数種類の数字や絵柄等で構成される識別可能な図柄を複数表示し、所要に応じて変動表示し得る図柄表示装置が設けられたものがある。そして、前記始動入賞具にパチンコ球(遊技球とも云う)が入賞して所要の遊技状態が発生すると、前記図柄表示装置に表示された図柄は、パチンコ機に配設されている主制御手段や図柄制御手段等の各種制御手段に制御されて変動表示されるようになっている。このとき、前記図柄表示装置で変動されている図柄の一部が停止した際に、図柄表示部に停止表示されている図柄が所定の条件を満たしている場合(例えば「１,１,変動中」, 「７,変動中,７」等)に、所謂「リーチ」となり、前記各種制御手段で制御された各種のリーチ変動が行なわれ、遊技者は変動している残りの図柄が既に停止表示されている図柄と同一の図柄で停止表示されて、所謂「大当り」となることを期待する。この「大当り」となると、前記図柄表示装置には前記各種制御手段で制御された大当り演出が表示されると共に、前記特別入賞口に開閉可能に設けられた開閉扉が所定時間または所定回数となるまで継続的または断続的に開放され、遊技者は多数のパチンコ球を獲得し得るようになっている。
【０００３】
【発明が解決しようとする課題】
ここで、例えば７セグメントＬＥＤ等の発光体により数字や文字、その他識別可能な各種図柄を表示することで、表示される図柄の識別性を向上させるようにした図柄表示装置が配設されている遊技機も多数提案されている。しかし、前記図柄表示装置において、７セグメントＬＥＤ等の発光体により表示される図柄の背景を構成する背景部は、通常黒色や白色等の単一色が付与されていることが多く、図柄表示装置の意匠性や装飾性に欠けると共に、遊技に対する興趣が損なわれる問題がある。また、前記発光体で表示される図柄の背景部に各色で着色等を施した場合でも、背景部の意匠性や装飾性を大きく向上させることは困難であった。そこで、前記図柄表示部の上方または下方に照明装置(蛍光灯等)を配設したり、該図柄表示装置の背面にバックライト(発光ダイオードや電球等)を配設して図柄や図柄の背景部に光を照射し、背景部の装飾性を向上させる方法等が採用されている。
【０００４】
ところが、前記図柄表示装置の上または下方に照明装置を配設する場合には、該照明装置の設置スペースの確保の問題や部材コスト等の増大の問題等を招くと共に、該照明装置から照射された光が反射されて、遊技者の視線位置や遊技機の配置によっては却って図柄やその背景部が見え難くなる畏れがある。また、前記発光体等により表示される図柄の識別性を確保するため図柄の背景部は、前述のように白や黒等の単一色が付与されおり、光を照射した場合でも単に明るくなるだけのため、図柄表示装置の意匠性や装飾性を向上させる効果は小さく、遊技の興趣に欠ける問題が指摘される。更に、前記照明装置で図柄と図柄の背景部の夫々を照明するため、図柄とその背景部との境界が不鮮明となり、図柄の識別性や背景部の意匠性が損なわれる欠点もある。
【０００５】
また、前記図柄表示装置の内部にバックライトを配設して光を照射する場合には、反射光により図柄が見え難くなったり、図柄と図柄の背景部との境界が不鮮明となることはない利点がある。しかし、前記図柄表示装置の後側にバックライトを配設する基板やその固定部材等が必要となるため該装置自体の重量が嵩むと共に、設置スペースの問題が生じ、更にコストの増大を招くことにもなる。例えば、図柄表示装置に左・中・右列および上・中・下段の図柄を表示し得る９つの表示部を設ける場合には、各表示部に光を照射するために９つのバックライトを配設する必要があり、該装置の重量的な問題や設置スペース的な問題がより深刻になる。また、前記発光体により発光表示される図柄の背景部は単一色で構成されることが多いため、前述した照明装置を図柄表示装置の上または下方に配設する場合と同様に、背景部が単に明るくなるだけで、図柄表示装置の意匠性や装飾性を向上させる効果は小さく、遊技の興趣に欠ける問題が指摘されている。
【０００６】
【発明の目的】
本発明は、前述した従来の技術に内在する前記問題に鑑み、これを好適に解決するべく提案されたものであって、図柄表示装置の図柄表示部に高い識別性で図柄を表示し得ると共に、図柄の背景部の意匠性や装飾性を向上させることで遊技に対する興趣を増大させ、更に多彩な遊技性をも備える遊技機を提供することを目的とする。
【０００７】
【課題を解決するための手段】
前述した課題を克服し、所期の目的を達成するため、本願発明に係る遊技機は、
図柄表示装置を備える遊技機であって、
前記図柄表示装置の表示部は、
前記図柄表示装置の背面側に設けた表示制御手段からの制御信号に基づいて、独立して点灯または消灯の制御がなされる縦・横各３列の表示領域を有する単一の有機ＥＬプレートと、
前記有機ＥＬプレートの表面に各表示領域に対応して配設され、前記表示制御手段からの制御信号に基づいて図柄を表示する７セグメントＬＥＤとからなり、
前記表示制御手段は、前記７セグメントＬＥＤで図柄を表示した後に、前記有機ＥＬプレートにおける図柄が表示された各表示領域を点灯または消灯させることで図柄変動毎に図柄の有効組合わせ位置を変更し得るよう設定されると共に、前記７セグメントＬＥＤで表示された図柄の組合わせがリーチとなる場合には、リーチに対応する図柄を表示した７セグメントＬＥＤの背面に位置する表示領域を他の表示領域とは異なる色で点灯させて、大当りとなる位置の表示領域を点滅させるよう設定されることを特徴とする。
更に前述した課題を克服し、所期の目的を達成するため、本願の別発明に係る遊技機は、
図柄表示装置を備える遊技機であって、
前記図柄表示装置の表示部は、
前記図柄表示装置の背面側に設けた表示制御手段からの制御信号に基づいて、独立して点灯または消灯の制御がなされる縦・横各３列の有機ＥＬプレートと、
前記各有機ＥＬプレートの表面に配設され、前記表示制御手段からの制御信号に基づいて図柄を表示する７セグメントＬＥＤとからなり、
前記表示制御手段は、前記７セグメントＬＥＤで図柄を表示した後に、図柄が表示された前記有機ＥＬプレートを点灯または消灯させることで図柄変動毎に図柄の有効組合わせ位置を変更し得るよう設定されると共に、前記７セグメントＬＥＤで表示された図柄の組合わせがリーチとなる場合には、リーチに対応する図柄を表示した７セグメントＬＥＤの背面に位置する有機ＥＬプレートを他の有機ＥＬプレートとは異なる色で点灯させて、大当りとなる位置の有機ＥＬプレートを点滅させるよう設定されることを特徴とする。
【０００８】
【作用】
本発明の遊技機は、図柄表示装置の表示部に各種図柄を構成する７セグメントＬＥＤを配設すると共に、該図柄の背景部を有機ＥＬプレートで形成している。すなわち、表示部で各種図柄を発光表示させることで図柄を図柄表示装置に表示すると共に、該図柄の背景部を構成する有機ＥＬプレートを所要の色で発光させることで、前記図柄の背景部の意匠性や装飾性が飛躍的に向上し、遊技に対する興趣を増大させることができる。また、前記図柄表示装置の外表面に薄層かつ軽量な有機ＥＬプレートを設けるようにしたので、照明具等を別途配設する必要がなく、コストの低減や省スペース化を図り得る。更に、前記有機ＥＬプレートは可撓性を有しており、湾曲等した種々の形状の図柄表示装置に配設することも可能である。そして、前記７セグメントＬＥＤによる図柄表示と有機ＥＬプレートの発光とを所要により組合わせることで、多彩な遊技性を付与することが可能である。
【０００９】
【発明の実施の形態】
次に、本発明に係る遊技機について好適な実施例を挙げて、添付図面を参照しながら以下詳細に説明する。なお、本実施例では、遊技機として一般的なパチンコ機に実施される場合について説明する。
【００１０】
先ず、本実施例に係るパチンコ機の構成につき概略説明する。図１または図２に示すように、外枠Ａの開口前面側に対して前枠Ｂが、連結支持手段および施錠手段を利用して着脱および開放可能に組付けられている。そして前枠Ｂに、横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤Ｇ等が夫々装備されている一方、前枠Ｂ後側の収容枠体の正面内部に所要の遊技領域Ｉを構成した遊技盤Ｊが着脱交換可能にセットされる。
【００１１】
前記遊技盤Ｊは、図３に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述の図柄表示装置２１と、風車とも称されて遊技球用の流下方向を任意に変更する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、図２に示すように、セーフ球を機構セット盤Ｇ側に通出案内させるセーフ球案内部材１５が装着されている。そして、このセーフ球案内部材１５には、該案内部材１５に開設した透視窓部(図示せず)の後側に合わせて前記図柄表示装置２１が装備セットされる。なお、図３中の符号１６はアウト口を示す。
【００１２】
前記始動入賞具１１内に配設された図示しないスイッチは、各セーフ球の検出毎に図柄表示装置２１を１回ずつ作動スタートさせるための始動入力手段として利用される。また前記入賞装置Ｌは、図柄表示装置２１の大当り成立時に対する特別遊技状態として、開成作動条件が付与される大型の入賞装置であって、図３に示されるように、特別入賞口１７に対設された扉状の開閉板１８が、後側の電磁ソレノイドに係る設定駆動条件に基づいて、通常の閉鎖状態から開放状態に変化されるよう構成されている。そして、特別入賞口１７の後側内部にセーフ球用のカウントスイッチ等が組込まれている(図示せず)。なお、入賞装置Ｌの左右両側には普通入賞口１９,１９が設けられる。
【００１３】
実施例に係る図柄表示装置２１は、図３または図４に示すように、遊技盤Ｊの略中央部に配設され、縦・横に各３列の合計９つの夫々独立した表示部２２から構成される。そして、前記各表示部２２の夫々の表面には、有機エレクトロルミネセンス (以下有機ＥＬと云う)からなる薄板状の有機ＥＬプレート(エレクトロルミネセンス層)２７が配設されており、該有機ＥＬプレート２７の夫々は、所要の色(赤,青,緑,白等)を発光し得るようになっている。ここで、有機ＥＬとは、透明電極(陽極)、発光層(有機層)および金属電極(陰極)の積層構造を有し、透明電極と金属電極の間に電圧を印可すると、陽極から注入された正孔(ホール)と陰極から注入された電子とが発光層内で再結合し、有機分子を励起して発光する性質を有するものである。また、前記有機ＥＬプレート２７は低電力であっても高輝度で発光可能であり、視認性や消費電力等にも優れた性質を有している。なお、前記有機ＥＬプレート２７の夫々は、前記図柄表示装置２１の背面側に配設される表示制御手段Ｋ(図２参照)から送信される制御信号に基づいて、独立して点灯または消灯制御されるよう構成される。
【００１４】
また、図４に示すように、前記夫々の有機ＥＬプレート２７の表面には、発光個所の制御により各種図柄を所要の色で発光し得る７セグメントＬＥＤ２５が対応して配設されており、該ＬＥＤ２５の発光により、数字等の各種図柄が表示されるようになっている。そして、この７セグメントＬＥＤ２５により表示される図柄が、変動または停止表示されることで、前記表示部２２の夫々に各種図柄を動的または静的に表示するようになっている。また、前記有機ＥＬプレート２７の夫々が、前記７セグメントＬＥＤ２５の夫々を配設する基盤をなすと共に、表示される各種図柄の背景部として機能するよう構成されている。そして、前記表示制御手段Ｋから送信される制御信号に基づいて、前記各７セグメントＬＥＤ２５により各種図柄が発光表示される。
【００１５】
なお、図１または図３に示すように、前記図柄表示装置２１の上方に記憶表示部Ｍが設けられて、前記始動入賞具１１への最大４個の入賞までは、遊技球が入賞した際に通常得られる情報が始動記憶されると共に、該記憶表示部Ｍに表示されるようになっている。そして、前記図柄表示装置２１が変動可能な状態となると、その始動記憶数に基づいて特別図柄の変動が開始されると共に、始動記憶が１つ消化され、かつ該記憶表示部Ｍが１つ消灯される。
【００１６】
【実施例の作用】
次に、前述のように構成された、本実施例に係るパチンコ機の作用について説明する。先ず、パチンコ球が遊技盤Ｊ上の遊技領域Ｉに打込まれ、始動入賞具１１等に入賞することで発生する始動信号入力条件により、表示制御手段Ｋから発生する制御出力に基づいて、図柄表示装置２１の表示部２２に配設される７セグメントＬＥＤ２５が発光することで各種図柄が動的または静的に表示されると共に、該ＬＥＤ２５により表示される図柄の背景部を構成する有機ＥＬプレート２７が点灯または消灯される。すなわち、前記７セグメントＬＥＤ２５により各種図柄を発光表示することで、図柄が鮮明に表示されて優れた識別性を発揮すると共に、各種図柄の背景部として機能する前記有機ＥＬプレート２７が発光することで、該背景部の意匠性や装飾性が飛躍的に向上されて、遊技に対する興趣を増大させることができる。また、前記有機ＥＬプレート２７の夫々を種々の色で発光させれば、より一層背景部の意匠性や装飾性を向上させることが可能である。
【００１７】
更に、前記図柄表示装置２１の表示部２２として、発光する７セグメントＬＥＤ２５および有機ＥＬプレート２７を用いることで、表示される図柄の視認性を確保するために、バックライト等の照明具を用いる必要性がなくなり、図柄表示装置２１の構造を簡略化してコストの低減を図り得ると共に、反射光により図柄やその背景部が見え難くなることもない。そして、前記図柄表示装置２１の重量やスペースの増加を防止し得る。また、前記有機ＥＬプレート２７は自発光するため、遊技者の視線位置に拘わらず広角範囲からこの有機ＥＬプレート２７の点灯または消灯を認識することができる。
【００１８】
そして、前記表示制御手段Ｋにより前記各有機ＥＬプレート２７を点灯または消灯の制御をすることで、遊技の有効組合わせ位置(同じ図柄が表示されることで「大当り」となる位置)を表示し、更にこの有効組合わせ位置を所要により変化させて、遊技の遊技状態を遊技者に報知する手段として使用したり、新規な遊技性を付与することも可能となる。例えば、右下がり方向直線上に同一図柄が揃うことで「大当り」となる場合に、図４に示すように、遊技の有効組合わせ位置(有効ライン)となる左上・真中・右下の表示部２２に配設された有機ＥＬプレート２７を点灯させ、その他の表示部２２の有機ＥＬプレート２７を消灯させたり、反対に有効組合わせ位置となる左上・真中・右下の表示部２２の有機ＥＬプレート２７を消灯させて、その他の表示部２２の有機ＥＬプレート２７を点灯させたりすれば、その遊技における有効組合わせ位置を遊技者に容易に理解させることが可能となる。更に、背景部を構成する有機ＥＬプレート２７の点灯または消灯により有効組合わせ位置が表示されるという新規な演出が可能となり、遊技者は新鮮で興趣のある遊技を楽しむことができる。なお、図４または図５において斜線で示す表示部２２に配設された有機ＥＬプレート２７が、点灯しているものとする。
【００１９】
また、左上と真中の表示部２２に配設された７セグメントＬＥＤ２５に、同じ数字が表示されて「リーチ」となる場合に、対応する表示部２２に配設されている有機ＥＬプレート２７を点灯または消灯させると共に、大当りとなる位置の有機ＥＬプレート２７(図４の右下)を点滅させることもできる。このように、図柄の背景部を構成する有機ＥＬプレート２７に動きの伴った演出をさせることで、より新鮮で興趣のある遊技が可能になると共に、遊技に対する期待感を向上させ得るようになる。
【００２０】
すなわち、背景部を構成する有機ＥＬプレート２７を点灯させて予め有効組合わせ位置を表示することで、該有効組合わせ位置とされた表示部２２の７セグメントＬＥＤ２５が所定の大当り組合わせとなることを遊技者に期待させるよう構成することが可能である。また、前記背景部を構成する有機ＥＬプレート２７の点灯または消灯によって、複数ラインの有効組合わせ位置を表示すれば、見かけ上「大当り」となる確率が上昇したように感じさせることもできる。更に、複数ラインの有効組合わせ位置を表示し、その複数ラインが「大当り」の条件を満足した場合に発生する「大当り」の価値(例えば、特別入賞口１７に対設する開閉扉１８の開放時間や開放回数等)に差を設けることで、遊技の興趣を更に増大させることも可能である。なお、点灯または消灯される図柄表示部２２の位置により、「大当り」となる確率に差を設けるようにしても良い。また、有機ＥＬプレート２７を点灯または点滅させる際に、有機ＥＬプレート２７が発光する色や点滅速度等を変化させて、その変化に伴って遊技性を変化させることで、遊技の興趣を更に高めることができると共に、図柄表示装置２１の意匠性や装飾性をより向上させることができる。
【００２１】
なお、前記７セグメントＬＥＤ２５で図柄を発光表示した後に、背景部を構成している前記有機ＥＬプレート２７を点灯または消灯させて有効組合わせ位置を表示するようにしても良い。この場合は、例えば右下がりに図柄が所定の組合わせ(「７,７,７」等)表示されても、その時点では「大当り」となるか否かわからないため、背景部の有機ＥＬプレートが点灯または消灯して有効組合わせ位置が確定するまで、遊技者の興趣を維持することができる。また、有効組合わせ位置を表示する有機ＥＬプレート２７を異なる色で発光させるようにすれば、図柄の背景部の意匠性や装飾性を向上させ得ると共に、有効組合わせ位置を遊技者に容易に理解させることができる。
【００２２】
また、前記有機ＥＬプレート２７が点灯することで表示される有効組合わせ位置としては、前述した通常の縦・横・斜めの直線上に整列した有効ラインだけでなく、図５に示すように、左上・真中・左下等に設けられた有機ＥＬプレート２７のみを点灯または消灯させて、変則的な有効組合わせ位置を表示することも可能である。このように、任意の位置の有機ＥＬプレート２７を点灯または消灯させて変則的な有効組合わせ位置を表示し、対応する表示部２２に配設された７セグメントＬＥＤ２５が同一の図柄を表示されると「大当り」となるようにすれば、遊技者は新規な遊技性を有する遊技を楽しむことができるようになる。変則的な有効組合わせ位置とする場合でも、背景部の有機ＥＬプレート２７が点灯または消灯するので、遊技者は有効組合わせ位置を容易に理解して遊技を楽しむことができる。
【００２３】
なお、本実施例では、図柄表示装置に７セグメントＬＥＤにより各種図柄を発光表示し得る９つの表示部を設けるようにしたが、これに限られるものではなく、１つ以上の表示部を設けるようにすれば良い。また、前記図柄表示装置の表示部を、無機エレクトロルミネセンス(無機ＥＬ)からなる無機ＥＬプレートで構成することも可能である。なお、各種図柄を表示させる発光体は、７セグメントＬＥＤに限らず、発光することで数字や文字その他識別可能な図柄を所要により表示し得る従来公知の各種発光体を使用することができる。
【００２４】
また、複数の有機ＥＬプレートを配設し、各有機ＥＬプレートの夫々に発光体を設けるようにしたが、例えば図柄表示装置の全体を単一の有機ＥＬプレートで構成しても、当該有機ＥＬプレートの点灯や消灯により、図柄の背景部の意匠性や装飾性を向上させることができ、更に部材コストや組付け作業を低減することができる。この場合に、夫々独立して点灯または消灯制御可能な複数の表示領域を前記有機ＥＬプレートに形成して、各表示領域に対応して発光体を配設すると共に、各表示領域を点灯または消灯の制御をすれば、意匠性や装飾性をより一層向上させることが可能である。また、前述した複数の有機ＥＬプレートを配設する場合と同様に、前記各表示領域を夫々独立して点灯または消灯の制御をすることで、遊技状態を報知したり、有効組合わせ位置の表示等により種々の遊技性を付与することもできる。そして、有効組合わせ位置を表示する表示領域を通常の背景部と異なる色を発光させて表示するようにすることで、意匠性や装飾性の向上を図り得る。
【００２５】
また、本実施例の図柄表示装置に限らず、各種図柄を表示する発光体を配設し得ると共に、エレクトロルミネセンス層を形成し得る装置であれば何れのものでも良く、例えば回転ドラム式や回転ベルト式、その他の図柄表示装置にも実施し得る。また、本実施例においてはパチンコ機に実施した場合について説明したが、各種図柄を変動表示させる図柄表示装置を備える遊技機であれば何れのものにも実施でき、例えばスロットマシン機等に好適に実施することが可能である。
【００２６】
【発明の効果】
以上説明した如く、本発明に係る遊技機によれば、図柄表示装置における図柄表示部に、各種図柄を構成する７セグメントＬＥＤを配設し、該７セグメントＬＥＤにより表示される図柄の背景部を、有機ＥＬプレートで形成するようにしたので、識別性に優れた鮮明な図柄を表示し得ると共に、該図柄および図柄の背景部の意匠性や装飾性を飛躍的に向上させて、遊技に対する興趣を増大させることができる。また、前記有機ＥＬプレートを設けることにより、図柄表示装置に別途光源を設ける必要がないので、該装置の構造を簡略化して軽量化や省スペース化を図り得ると共にコストの増大を防止できる。更に、図柄表示装置の組付け時の作業性を向上させることが可能となる。また、前記有機ＥＬプレートは可撓性を有することから、湾曲する外表面を有する図柄表示装置に配設することもできる。更に、前記有機ＥＬプレートは自発光性で視野角が広い特徴を有しており、遊技者の視線位置や遊技機の設置位置に拘わらず、遊技者は図柄を正確に識別し得ると共に、外部から光を照射する必要性がないので反射光で図柄の識別性が低下する畏れもない。更にまた、有機ＥＬプレートの使用寿命は長いので、ランニングコストを低廉に抑えることができる。
【００２７】
そして、前記背景部を、夫々独立して点灯または消灯制御可能な表示領域を有する有機ＥＬプレートで構成したり、夫々独立して点灯または消灯制御可能な複数の有機ＥＬプレートで構成することで、多彩な発光により図柄の背景部の意匠性や装飾性を一層向上させることができる。また、前記各表示領域または有機ＥＬプレートの夫々を点灯または消灯して、前記７セグメントＬＥＤで発光表示される図柄の有効組合わせ位置を表示するようにすれば、遊技者に注目する表示部を認識させることができると共に、種々の遊技性を付与することができるので、興趣がより一層向上した遊技を行なうことができるようになる。更に、前記各表示領域または有機ＥＬプレートの夫々を通常の背景部と異なる色で発光させて有効組合わせ位置を表示することで、より一層意匠性や装飾性を向上させると共に、種々の遊技性を付与することができる。
【図面の簡単な説明】
【図１】本発明の実施例に係るパチンコ機を示す正面図である。
【図２】本実施例に係るパチンコ機を示す背面図である。
【図３】本実施例に係るパチンコ機の遊技盤を示す拡大図である。
【図４】本実施例に係る図柄表示装置の概略を示す拡大図である。
【図５】本実施例に係る図柄表示装置の制御状態を示す概略図である。
【符号の説明】
２１  図柄表示装置
２２  表示部
２５  ７セグメントＬＥＤ
２７  有機ＥＬプレート
Ｋ  表示制御手段
【図１】
0004253758.tif 000002
【図２】
0004253758.tif 000003
【図３】
0004253758.tif 000004
【図４】
0004253758.tif 000005
【図５】
0004253758.tif 000006